(57)【要約】本発明は、二酸化炭素の濃度調節機能を有する室内環境調節装置に係り、さらに詳しくは、二酸化炭素の濃度の調節が必要な室内空間に設けられて該当する各室内空間に合うように二酸化炭素の濃度を調節することができ、温度、湿度まで制御することにより、快適な室内環境を提供するようにする室内環境調節装置に関する。本発明は、設定された二酸化炭素値を維持するために二酸化炭素の量を測定して、足りないガスの量を供給するように調節する室内環境調節装置を提供することができ、温度、湿度の値を測定して基準値と比較することにより、室内の空気に適した環境を造ることができるという効果がある。植物栽培モード及び室内の空気清浄モードのうちのどちらか一方を選択することにより、各環境に合う環境を造ることができる。特に、きのこ、人蔘など高価であり、しかも、管理し難い植物の栽培環境をリアルタイムにて制御することができるので、植物の栽培量が増えるという効果がある。【選択図】図１
2019526768.tif 000002
【特許請求の範囲】
【請求項１】
室内空間の二酸化炭素の量を測定するための二酸化炭素測定部（１１０）と、
室内空間の温度を測定するための温度測定部（１２０）と、
室内空間の湿度を測定するための湿度測定部（１３０）と、
二酸化炭素測定部（１１０）と、温度測定部（１２０）と、湿度測定部（１３０）から取得した測定値である二酸化炭素測定値、温度測定値、湿度測定値を表示する表示部（２００）と、
基準値である基準二酸化炭素値、基準温度値、基準湿度値を設定するための操作パネル部（３００）と、
前記二酸化炭素測定部（１１０）、温度測定部（１２０）及び湿度測定部（１３０）から測定された測定値と、操作パネル（３００）を介して予め設定された基準値とをそれぞれ比較する測定値判断部（４００）と、
前記測定値判断部（４００）を介して比較された結果に基づいて、制御信号を送出する制御部（５００）と、を備えることを特徴とする、
二酸化炭素の濃度調節機能を有する室内環境調節装置。
【請求項２】
室内空間の二酸化炭素の量を測定するための二酸化炭素測定部（１１０）と、
室内空間の温度を測定するための温度測定部（１２０）と、
室内空間の湿度を測定するための湿度測定部（１３０）と、
室内空間の照度を測定するための照度測定部（１４０）と、
二酸化炭素測定部（１１０）と、温度測定部（１２０）と、湿度測定部（１３０）及び照度測定部（１４０）から取得した測定値である二酸化炭素測定値、温度測定値、湿度測定値及び照度測定値を表示する表示部（２００）と、
基準値である基準二酸化炭素値、基準温度値、基準湿度値、基準照度値を設定するための操作パネル部（３００）と、
前記二酸化炭素測定部（１１０）、温度測定部（１２０）、湿度測定部（１３０）及び照度測定部（１４０）から測定された測定値と、操作パネル（３００）を介して予め設定された基準値とをそれぞれ比較する測定値判断部（４００）と、
前記測定値判断部（４００）を介して比較された結果に基づいて、制御信号を送出する制御部（５００）と、を備え、
前記制御部（５００）は、
二酸化炭素測定値判断部（４１０）から判断された二酸化炭素測定値が基準二酸化炭素値よりも高ければ、二酸化炭素を遮断するために二酸化炭素供給装置と接続された供給弁が閉じられ、二酸化炭素測定値が基準二酸化炭素値よりも低ければ、二酸化炭素を供給するために供給弁が開かれるように制御信号を送出する二酸化炭素制御部（５１０）と、
温度測定値が基準温度値よりも高ければ，冷房機能を行い、温度測定値が基準温度値よりも低ければ、暖房機能を行うように制御信号を送出する温度制御部（５２０）と、
湿度測定値が基準湿度値よりも高ければ、除湿機能を行い、湿度測定値が基準湿度値よりも低ければ、加湿機能を行うように制御信号を送出する湿度制御部（５３０）と、を備えることを特徴とする、
二酸化炭素の濃度調節機能を有する室内環境調節装置。
【請求項３】
前記操作パネル部（３００）は、基準二酸化炭素値、基準温度値、基準湿度値、基準照度値を時間帯別に設定するためのチャンネル設定部（３０３）をさらに備えることを特徴とする請求項２に記載の二酸化炭素の濃度調節機能を有する室内環境調節装置。
【発明の詳細な説明】
【技術分野】
【０００１】
本発明は、二酸化炭素の濃度調節機能を有する室内環境調節装置に係り、さらに詳しくは、二酸化炭素の濃度の調節が必要な室内空間に設けられて該当する各室内空間に合うように二酸化炭素の濃度を調節することができ、温度、湿度まで制御することにより、快適な室内環境を提供するようにする室内環境調節装置に関する。
【背景技術】
【０００２】
最近、現代の社会における微細塵や埃をなどに起因する環境の悪化には目を見張るものがあり、これに伴い、空気の質への関心が益々高まりつつある。一般に、大気中には、窒素（７８％）、酸素（２１％）に続いて、二酸化炭素が存在する。中でも、二酸化炭素（ＣＯ２）の場合、室内における二酸化炭素（ＣＯ２）の濃度が高くなると、呼吸数、脈拍数が増加して、体が弱い場合、不整脈、意識の低下が起こり、酷い場合には、死亡に至るなどの問題があり、病院、幼稚園などにおいて二酸化炭素の濃度を把握し、換気施設を介してこれを調節することが非常に重要である。
また、二酸化炭素の濃度は、きのこなどの植物を栽培する上で必要不可欠である。植物の成長は光合成だと言っても過言ではないほど、植物が成長するさいには、光合成は必要かつ重要な働きであるが、空気中の二酸化炭素（ＣＯ２）の実際の含量は、３００〜３５０ＰＰＭに過ぎないため、植物の光合成に不可欠な二酸化炭素（ＣＯ２）の要求量が圧倒的に足りていないのが現状である。植物が必要とする二酸化炭素（ＣＯ２）の要求量は、１０００〜１５００ＰＰＭであり、二酸化炭素（ＣＯ２）が足りない場合、植物の成長を遅らせ、これは、品質の低下及び収穫量の減少の原因となる。したがって、密閉された温室内の作物は、約２０〜３０分ほどの短時間内に二酸化炭素（ＣＯ２）を消尽することにより、良質の製品を生産するために持続的に二酸化炭素（ＣＯ２）を供給し続ける必要がある。
【先行技術文献】
【特許文献】
【０００３】
【特許文献１】大韓民国出願特許公報第１０−２００５−００８０１２６号（２００５年８月３０日）
【発明の概要】
【発明が解決しようとする課題】
【０００４】
本発明の目的は、設定された二酸化炭素値を維持するために二酸化炭素の量を測定して、足りないガスの量を供給するように調節する室内環境調節装置を提供することである。
本発明の他の目的は、温度、湿度の値を測定して基準値と比較することにより、室内の空気に適した環境を造ることのできる室内環境調節装置を提供することである。
【課題を解決するための手段】
【０００５】
上述した問題を解消するために、本発明は、室内空間の二酸化炭素の量を測定するための二酸化炭素測定部１１０と、室内空間の温度を測定するための温度測定部１２０と、室内空間の湿度を測定するための湿度測定部１３０と、二酸化炭素測定部１１０、温度測定部１２０、湿度測定部１３０から取得した測定値である二酸化炭素測定値、温度測定値、湿度測定値を表示する表示部２００と、基準値である基準二酸化炭素値、基準温度値、基準湿度値を設定するための操作パネル部３００と、前記二酸化炭素測定部１１０、温度測定部１２０、湿度測定部１３０から測定された測定値と操作パネル３００を介して予め設定された基準値とをそれぞれ比較する測定値判断部４００と、前記測定値判断部４００を介して比較された結果に基づいて、制御信号を送出する制御部５００と、を備えることを特徴とする二酸化炭素の濃度調節機能を有する室内環境調節装置と、室内空間の二酸化炭素の量を測定するための二酸化炭素測定部１１０と、室内空間の温度を測定するための温度測定部１２０と、室内空間の湿度を測定するための湿度測定部１３０と、室内空間の照度を測定するための照度測定部１４０と、二酸化炭素測定部１１０、温度測定部１２０、湿度測定部１３０、照度測定部１４０から取得した測定値である二酸化炭素測定値、温度測定値、湿度測定値、照度測定値を表示する表示部２００と、基準値である基準二酸化炭素値、基準温度値、基準湿度値、基準照度値を設定するための操作パネル部３００と、前記二酸化炭素測定部１１０、温度測定部１２０、湿度測定部１３０、照度測定部１４０から測定された測定値と操作パネル３００を介して予め設定された基準値とをそれぞれ比較する測定値判断部４００と、前記測定値判断部４００を介して比較された結果に基づいて、制御信号を送出する制御部５００と、を備え、前記制御部５００は、二酸化炭素測定値判断部４１０から判断された二酸化炭素測定値が基準二酸化炭素値よりも高ければ、二酸化炭素を遮断するために二酸化炭素供給装置と接続された供給弁が閉じられ、二酸化炭素測定値が基準二酸化炭素値よりも低ければ、二酸化炭素を供給するために供給弁が開かれるように制御信号を送出する二酸化炭素制御部５１０と、温度測定値が基準温度値よりも高ければ、冷房機能を行い、温度測定値が基準温度値よりも低ければ、暖房機能を行うように制御信号を送出する温度制御部５２０と、湿度測定値が基準湿度値よりも高ければ、除湿機能を行い、湿度測定値が基準湿度値よりも低ければ、加湿機能を行うように制御信号を送出する湿度制御部５３０と、を備え、前記操作パネル部３００は、基準二酸化炭素値、基準温度値、基準湿度値、基準照度値を時間帯別に設定するためのチャンネル設定部３０３をさらに備えることを特徴とする二酸化炭素の濃度調節機能を有する室内環境調節装置を提供する。
【発明の効果】
【０００６】
本発明は、設定された二酸化炭素値を維持するために二酸化炭素の量を測定して、足りないガスの量を供給するように調節する室内環境調節装置を提供することができ、温度、湿度の値を測定して基準値と比較することにより、室内の空気に適した環境を造ることができるという効果がある。
植物栽培モード及び室内の空気清浄モードのうちのどちらか一方を選択することにより、各環境に合う環境を造ることができる。特に、きのこ、人蔘など高価であり、しかも、管理し難い植物の栽培環境をリアルタイムにて制御することができて、植物の栽培量が増えるという効果がある。
【図面の簡単な説明】
【０００７】
【図１】本発明の実施形態に係る全体的な構成図である。
【図２】本発明の測定部に対する構成図である。
【図３】本発明の操作パネル部に対する構成図である。
【図４】本発明の温度基準設定部に対する構成図である。
【図５】本発明の測定値判断部に対する構成図である。
【図６】本発明の制御部に対する構成図である。
【発明を実施するための形態】
【０００８】
発明を実施するための最良の形成は、次の通りである。
室内空間の二酸化炭素の量を測定するための二酸化炭素測定部１１０と、室内空間の温度を測定するための温度測定部１２０と、室内空間の湿度を測定するための湿度測定部１３０と、二酸化炭素測定部１１０と、温度測定部１２０と、湿度測定部１３０から取得した測定値である二酸化炭素測定値、温度測定値、湿度測定値を表示する表示部２００と、基準値である基準二酸化炭素値、基準温度値、基準湿度値を設定するための操作パネル部３００と、前記二酸化炭素測定部１１０、温度測定部１２０及び湿度測定部１３０から測定された測定値と、操作パネル３００を介して予め設定された基準値とをそれぞれ比較する測定値判断部４００と、前記測定値判断部４００を介して比較された結果に基づいて、制御信号を送出する制御部５００と、を備えることを特徴とする二酸化炭素の濃度調節機能を有する室内環境調節装置であって、室内空間の二酸化炭素の量を測定するための二酸化炭素測定部１１０と、室内空間の温度を測定するための温度測定部１２０と、室内空間の湿度を測定するための湿度測定部１３０と、室内空間の照度を測定するための照度測定部１４０と、二酸化炭素測定部１１０と、温度測定部１２０と、湿度測定部１３０及び照度測定部１４０から取得した測定値である二酸化炭素測定値、温度測定値、湿度測定値及び照度測定値を表示する表示部２００と、基準値である基準二酸化炭素値、基準温度値、基準湿度値、基準照度値を設定するための操作パネル部３００と、前記二酸化炭素測定部１１０、温度測定部１２０、湿度測定部１３０及び照度測定部１４０から測定された測定値と、操作パネル３００を介して予め設定された基準値とをそれぞれ比較する測定値判断部４００と、前記測定値判断部４００を介して比較された結果に基づいて、制御信号を送出する制御部５００と、を備え、前記制御部５００は、二酸化炭素測定値判断部４１０から判断された二酸化炭素測定値が基準二酸化炭素値よりも高ければ、二酸化炭素を遮断するために二酸化炭素供給装置と接続された供給弁が閉じられ、二酸化炭素測定値が基準二酸化炭素値よりも低ければ、二酸化炭素を供給するために供給弁が開かれるように制御信号を送出する二酸化炭素制御部５１０と、温度測定値が基準温度値よりも高ければ，冷房機能を行い、温度測定値が基準温度値よりも低ければ、暖房機能を行うように制御信号を送出する温度制御部５２０と、湿度測定値が基準湿度値よりも高ければ、除湿機能を行い、湿度測定値が基準湿度値よりも低ければ、加湿機能を行うように制御信号を送出する湿度制御部５３０と、を備え、前記操作パネル部３００は、基準二酸化炭素値、基準温度値、基準湿度値、基準照度値を時間帯別に設定するためのチャンネル設定部３０３をさらに備えることを特徴とする二酸化炭素の濃度調節機能を有する室内環境調節装置である。
【０００９】
上述した解決手段を用いて本発明の実施形態を当業者が実施できるように添付図面に基づいてさらに詳細に説明する。
図１は、本発明の実施形態に係る二酸化炭素の濃度調節機能を有する室内環境調節装置（以下、室内環境調節装置と称する）の全体構成図である。
本発明の室内環境調節装置は、建築物の室内空間の二酸化炭素、温度、湿度を維持するように制御する。
図１に示すように、前記室内環境調節装置は、測定部１００と、表示部２００と、操作パネル部３００と、測定値判断部４００及び制御部５００を備えてなる。
これについて具体的に後述すれば、次の通りである。
図２を参照する。測定部１００は、測定値である二酸化炭素値、温度値、湿度値を測定するものであり、二酸化炭素測定部１１０と、温度測定部１２０と、湿度測定部１３０及び照度測定部１４０を備えてなる。
二酸化炭素測定部１１０は、室内環境調節装置の一方の側に形成されて前記室内空間の二酸化炭素の量を測定する。また、二酸化炭素測定部１１０は、湿気除去部１１１をさらに備えるが、これは、二酸化炭素測定部１１０を介して室内空間の二酸化炭素の量を測定するとき、二酸化炭素が供給される個所であり、二酸化炭素が供給されるときに湿気を取り除き、二酸化炭素が二酸化炭素測定部１１０に供給されるようにするためのものである。すなわち、湿気除去部１１１は、二酸化炭素測定部１１０が設けられた室内環境調節装置における二酸化炭素測定部１１０の前面に設けられて、湿気除去部１１１を通過した二酸化炭素の量を二酸化炭素測定部１１０で測定してもよい。二酸化炭素測定部１１０は、二酸化炭素測定部１１０の外部に突き出た円柱状に形成されてもよく、一方の面は、二酸化炭素が流入する部分に連通された形状であり、他方の面には、湿気除去部１１１が形成されることにより、二酸化炭素が湿気除去部１１１を通過して二酸化炭素測定部１１０を介して二酸化炭素の量を測定してもよい。
温度測定部１２０は、室内空間の温度を測定するためのものであり、湿度測定部１３０は、室内空間の湿度を測定するためのものである。
前記温度測定部１２０及び湿度測定部１３０は、室内環境調節装置の一方の側に形成されるが、ハウジングがさらに配備されて温度測定部１２０及び湿度測定部１３０を収容する。例えば、温度測定部１２０及び湿度測定部１３０は、センサーチップのタイプに形成されて、ハウジングの内部に配備されて室内空間の温度及び湿度を測定することができる。
また、前記ハウジングは、多数の通過口が表面に形成されることにより、室内空間の温度及び湿度を測定する上で差し支えないことはいうまでもない。
照度測定部１４０は、前記室内空間の照度を測定するために形成されたものである。
表示部２００は、二酸化炭素測定部１１０と、温度測定部１２０と、湿度測定部１３０及び照度測定部１４０から取得した測定値である二酸化炭素測定値と、温度測定値と、湿度測定値及び照度測定値を表示する。
さらに、表示部２００は、ユーザーが操作パネル部３００を介して基準値を設定できるように画面に表示してもよい。
表示部２００は、温度情報と、湿度情報と、二酸化炭素情報及び照度情報を表示してもよい。また、センサー誤差補正部がさらに形成されて、測定部１００によりそれぞれ測定された測定値の誤差を補正することにより、さらに正確な測定値を表示部２００を介して表示することができる。
【００１０】
操作パネル部３００は、基準値である基準二酸化炭素値と、基準温度値と、基準湿度値及び基準照度値を設定するためのものである。
前記操作パネル部３００は、図３の構成図のように、二酸化炭素基準設定部３１０と、温度基準設定部３２０と、湿度基準設定部３３０及び照度基準設定部３４０に分けられてそれぞれの基準値を設定する。
まず、操作パネル部３００は、動作モード設定部３０１をさらに備え、動作モード設定部３０１は、室内空間の環境に応じて、二酸化炭素、温度、湿度などなどが他の設定環境に制御されるようにするためのものである。すなわち、動作モード設定部３０１は、きのこなどの植物を栽培するための植物栽培モードと、病院、幼稚園など室内環境を清浄にするように制御するための室内の空気清浄モードと、に分けられて、ユーザーにより二つのうちのどちらか一方のモードを設定してもよい。
植物栽培モードは、トマト、きゅうり、唐辛子などの野菜、ツツジ、ベゴニア（シュウカイドウ）などの盆花、カーネーション、バラなどの折花、きのこなどを栽培するときに用いるものであり、各植物の生育に合う環境を造るために二酸化炭素、温度、湿度を制御してもよい。特に、椎茸などのきのこを栽培するとき、温度、湿度、二酸化炭素だけではなく、照度（光）の役割は非常に重要であるため、各植物に合う値が維持されるように室内環境を管理する必要がある。
室内の空気清浄モードは、病院、幼稚園などの室内の空気に適した環境を造るために、温度、二酸化炭素、湿度を制御するためのものであり、室内の空気清浄モードを介して室内の空気清浄モードをユーザーが選択することにより、これを制御してもよい。
二酸化炭素基準設定部３１０は、基準二酸化炭素値の範囲を設定し、二酸化炭素を放出する持続時間を設定するためのものである。温度基準設定部３２０は、基準温度値の範囲を設定するものであり、湿度基準設定部３３０は、基準湿度値の範囲を設定するものであり、照度基準設定部３４０は、天気別の基準照度値を設定するものである。
以下、操作パネル部３００を介して各基準値を設定する実施形態について、植物栽培モードと室内の空気清浄モードとに分けてそれぞれ説明する。
植物栽培モードを動作するために、植物の栽培環境を制御するための二酸化炭素、温度、湿度、照度の基準値をそれぞれ設定する。
植物栽培モードは、時間帯別に異なる値に植物の栽培環境を調節することが必要であるため、チャンネル設定部３０３を介して一日２４時間を１から９番のチャンネルに分割し、各チャンネル別に温度値、湿度値、二酸化炭素の基準値を別途に設定して植物の栽培環境を制御してもよい。
例えば、ユーザーが操作パネルを介して４番のチャンネルまで時間を設定すると想定する。
［１番のチャンネル：０４：００／２番のチャンネル：１０：２０／３番のチャンネル：１６：２０／４番のチャンネル：２３：００］
上記のようにして時間を設定するとき、各チャンネル別の動作時間の範囲は、１番のチャンネルが０４：００〜１０：２０、２番のチャンネルが１０：２０〜１６：２０、３番のチャンネルが１６：２０〜２３：００、４番のチャンネルが２３：００〜０４：００までチャンネル別にそれぞれ設定された二酸化炭素、温度、湿度、照度の基準値に基づいて植物の栽培環境が制御されるようにしてもよい。
植物栽培モードを選択したとき、二酸化炭素基準設定部３１０は、照度測定部１４０の使用有無に応じて、基準二酸化炭素値を設定することが異なる。
ユーザーが、照度基準設定部３４０を介して、照度測定部１４０を使用すると設定したとき、二酸化炭素基準設定部３１０を介してユーザーが晴れた日の二酸化炭素値及び曇った日の二酸化炭素値をそれぞれ設定して、二酸化炭素の量を制御する。これに対し、照度測定部１４０を使用しないと設定したとき、曇った日の二酸化炭素値のみを設定して、二酸化炭素の量を制御する。
また、二酸化炭素基準設定部３１０を介して、植物栽培モードのときに、二酸化炭素を外部に換気させるための換気モードを選択することができ、換気済み二酸化炭素の基準値の範囲を設定して、二酸化炭素の測定値が換気済み二酸化炭素の基準値を超えると、換気モードが動作するようにする。
【００１１】
図４に示すように、温度基準設定部３２０は、扉開閉調節選択部３２１と、温度調節選択部３２２と、に分けられる。
扉開閉調節選択部３２１は、植物の栽培場所であるビニールハウスなどの室内空間において基準温度値と温度測定値とを比較することにより、ビニールハウスの扉を開閉するように扉開閉の基準温度値の範囲を設定するものである。
温度測定値判断部４２０を介して測定された温度測定値と扉開閉の基準温度値とを比較して、温度測定値が基準温度値よりも高ければ、ビニールハウスの扉が開かれるように制御部５００を介して開扉機能を行うように制御してもよく、温度測定値が扉開閉基準温度値よりも低ければ、ビニールハウスの扉が閉じられるように制御部５００を介して閉扉機能を行うように制御してもよい。
温度調節選択部３２２は、暖房機能または冷房機能を介してビニールハウスの内部に設けられたヒーターまたはクーラーを動作させるように、冷暖房の基準温度値の範囲を設定するものである。温度調節選択部３２２を介して設定された冷暖房の基準温度値よりも測定された温度測定値の方が高ければ、冷房機能を介してクーラーが動作するように制御し、冷暖房の基準温度値よりも温度測定値の方が低ければ、暖房機能を介してヒーターが動作するように制御することにより、室内空間の温度を調節することができる。
湿度基準設定部３３０は、加湿機能が動作するように加湿モードと、除湿機能が動作するための除湿モードとを選択してもよく、加湿モード及び除湿モードの基準湿度値をそれぞれ別々に設定してもよい。ユーザーが加湿モードを選択するとき、基準湿度値よりも測定された湿度の測定値の方が低ければ、加湿機能が動作するように制御してもよく、除湿モードを選択するとき、基準湿度値よりも測定された湿度の測定値の方が高ければ、除湿機能が動作するように制御してもよい。
照度基準設定部３４０は、照度測定部１４０のオン（ＯＮ）／オフ（ＯＦＦ）の機能を有していて、照度測定部１４０の使用有無を選択してもよい。
また、照度基準設定部３４０は、晴れた日の照度設定機能及び曇った日の照度設定機能を介して、天気別の基準照度値を設定してもよい。天気別の基準照度値とは、ユーザーが天気別に照度を用いてより便利に栽培できるように照度値の基準を設定するもののことをいい、ユーザーが晴れた日の照度設定機能を選択して晴れた日の照度値を設定し、曇った日の照度設定機能を選択して曇った日の照度値を設定してもよい。
照度基準設定部３４０を介して設定された天気別の基準照度値は、二酸化炭素基準設定部３１０により設定された基準二酸化炭素値と紐付けられて植物の栽培環境を制御してもよい。
すなわち、ユーザーが照度基準設定部３４０を介して照度測定部１４０のオン（ＯＮ）を設定し、晴れた日の照度設定機能を選択して晴れた日の照度値を設定すれば、二酸化炭素基準設定部３１０を介して基準値として設定された晴れた日の二酸化炭素値と、二酸化炭素測定部１１０により測定された二酸化炭素測定値とを比較して、二酸化炭素の量を制御してもよい。なお、曇った日の照度機能を選択して曇った日の照度値を設定すれば、二酸化炭素基準設定部３１０を介して基準値として設定された曇った日の二酸化炭素値と、二酸化炭素測定部１１０により測定された二酸化炭素測定値とを比較して、二酸化炭素の量を制御してもよい。
次いで、室内の空気清浄モードを動作するために、二酸化炭素、温度、湿度の基準値をそれぞれ設定することについて説明する。室内の空気清浄モードは、照度が別途に必要ではないため、室内の空気清浄モードの際に照度基準設定部３４０を介して照度基準値を設定する必要がないが、室内空間の環境に応じて照度が必要である場合、これを設定してもよいということはいうまでもない。
二酸化炭素基準設定部３１０は、室内の環境に合う二酸化炭素の量を調節するために、基準二酸化炭素値の範囲を設定するためのものである。
二酸化炭素基準設定部３１０を介して設定された基準二酸化炭素値が、二酸化炭素測定部１１０を介して測定された二酸化炭素測定値よりも高い場合（基準二酸化炭素値＞二酸化炭素測定値）、室内の空気を換気させるための換気機能が動作するように制御してもよい。
温度基準設定部３２０は、室内の環境に合う温度に維持するように基準温度値の範囲を設定するためのものである。
設定された基準温度値が温度測定部１２０により測定された温度測定値よりも低ければ（基準温度値＜温度測定値）、冷房機能を介してクーラーが動作するように制御し、基準温度値が温度測定値よりも高ければ（基準温度値＞温度測定値）、暖房機能を介してヒーターが動作するように制御してもよい。
湿度基準設定部３３０は、室内の環境に合う湿度に維持するように基準湿度値の範囲を設定するためのものである。
設定された基準湿度値が湿度測定部１３０により測定された湿度測定値よりも低ければ（基準湿度値＜湿度測定値）、除湿機能が動作するように制御し、基準湿度値が湿度測定値よりも高ければ（基準湿度値＞湿度測定値）、加湿機能が動作するように制御してもよい。
【００１２】
測定値判断部４００は、操作パネル部３００を介して予め設定された基準値と、測定部１００を介して測定された測定値とを比較するためのものである。すなわち、測定値判断部４００を介して測定部１００である二酸化炭素測定部１１０と、温度測定部１２０と、湿度測定部１３０及び照度測定部１４０から測定された測定値と、操作パネル部３００である二酸化炭素基準設定部３１０と、温度基準設定部３２０と、湿度基準設定部３３０及び照度基準設定部３４０を介して予め設定された基準値とをそれぞれ比較してもよい。
図５に示すように、測定値判断部４００は、二酸化炭素測定値判断部４１０と、温度測定値判断部４２０と、湿度測定値判断部４３０及び照度測定値判断部４４０に分けられて、それぞれの値を比較してもよい。二酸化炭素測定値判断部４１０は、二酸化炭素測定値と基準二酸化炭素値とを比較して、基準二酸化炭素値よりも二酸化炭素測定値の方が高いか低いかを判断する。
温度測定値判断部４２０は、温度測定値と基準温度値とを比較して、基準温度値よりも温度測定値の方が高いか低いかを判断する。
湿度測定値判断部４３０は、湿度測定値と基準湿度値とを比較して、基準湿度値よりも湿度測定値の方が高いか低いかを判断する。
照度測定値判断部４４０は、照度測定値とユーザーにより選択された天気別の基準照度値とを比較して、基準照度値よりも高いか低いかを判断する。
すなわち、照度測定値判断部４４０は、ユーザーが照度測定部１４０の動作をオン（ＯＮ）にすることを選択し、晴れた日の照度値と曇った日の照度値をそれぞれ設定した後、照度測定部１４０を介して測定された照度測定値が晴れた日の照度値よりも高いか否か（照度測定値＞晴れた日の照度値）を判断し、照度測定値が晴れた日の照度設定値と曇った日の照度設定値との間の値（晴れた日の照度値＞照度測定値＞曇った日の照度値）であるか否かを判断し、照度測定値が曇った日の照度値よりも低いか否か（照度測定値＞曇った日の照度値）を判断する。
【００１３】
制御部５００は、前記測定値判断部４００を介して比較された結果に基づいて、制御信号を送出する。
図６に示すように、制御部５００は、二酸化炭素制御部５１０と、温度制御部５２０と、湿度制御部５３０とに分けられてそれぞれの動作を制御してもよい。
二酸化炭素制御部５１０は、二酸化炭素測定値判断部４１０から判断された二酸化炭素測定値が基準二酸化炭素値よりも高ければ（二酸化炭素測定値＞基準二酸化炭素値）、二酸化炭素を供給するために、設備装置である二酸化炭素供給装置と接続された供給弁が閉じられ、二酸化炭素測定値が基準二酸化炭素値よりも低ければ、二酸化炭素を供給するために供給弁が開かれるように制御信号を送出する。
ユーザーが操作パネル部３００の動作モード設定部３０１を介して植物栽培モードを設定し、照度基準設定部３４０を介して照度測定部１４０をオン（ＯＮ）に設定した後、その日が晴れた日であれば、照度基準設定部３４０を介して晴れた日の照度値をさらに設定する。
二酸化炭素基準設定部３１０は、照度測定部１４０がオン（ＯＮ）に設定されることにより、晴れた日の二酸化炭素値と曇った日の二酸化炭素値を設定してもよいが、晴れた日を想定したため、晴れた日の二酸化炭素値を設定する。
二酸化炭素測定部１１０を介して測定された二酸化炭素測定値と、二酸化炭素基準設定部３１０を介して設定された晴れた日の二酸化炭素値とは、二酸化炭素測定値判断部４１０を介して比較してもよい。
二酸化炭素測定値が晴れた日の二酸化炭素値よりも高ければ（二酸化炭素測定値＞晴れた日の二酸化炭素値）、二酸化炭素供給装置と接続された供給弁が閉じられるように制御信号を送出して、それ以上二酸化炭素が室内の栽培空間に供給されないようにする。二酸化炭素測定値が晴れた日の二酸化炭素値よりも低ければ（二酸化炭素測定値＜晴れた日の二酸化炭素値）、室内の栽培空間内の二酸化炭素の量を高めるために、二酸化炭素供給装置と接続された供給弁が開かれるように制御信号を送出して、室内の栽培空間に二酸化炭素が供給されるようにする。
曇った日も同様に、二酸化炭素測定値判断部４１０を介して測定された二酸化炭素測定値と、予め設定された曇った日の二酸化炭素値とを比較することにより、比較された結果に基づいて、二酸化炭素制御部５１０を介して二酸化炭素供給装置の供給弁の開閉状態を制御してもよい。
二酸化炭素基準設定部３１０を介して換気機能を選択して換気済み二酸化炭素値を設定すれば、設定された換気済み二酸化炭素値と、二酸化炭素測定部１１０を介して測定された二酸化炭素測定値とを二酸化炭素測定値判断部４１０を介して比較する。
二酸化炭素制御部５１０は、二酸化炭素測定値判断部４１０を介した比較の結果に基づいて、二酸化炭素測定値が換気済み二酸化炭素値よりも高ければ（換気済み二酸化炭素値＜二酸化炭素測定値）、外部に二酸化炭素を排出するための換気機能が動作するように制御信号を送出する。
前記二酸化炭素制御部５１０は、照度測定値判断部４４０を介して判断された値を受信してもよく、照度測定値判断部４４０により判断された結果に基づいて、二酸化炭素の供給有無を制御してもよい。具体的に説明すれば、照度測定値が曇った日の照度値よりも低い旨の判断結果を受信すれば（照度測定値＜曇った日の照度値）、二酸化炭素の供給を遮断するために供給弁が閉じられるように制御信号を送出してもよい。
また、二酸化炭素制御部５１０は、ユーザーが室内の空気清浄モードを設定したとき、基準二酸化炭素値と二酸化炭素測定値とを比較した結果に基づいて、換気機能を動作させることを制御してもよい。
【００１４】
温度制御部５２０は、温度測定値が基準温度値よりも高ければ、冷房機能を行い、温度測定値が基準温度値よりも低ければ、暖房機能を行うように制御信号を送出する。
さらに、温度制御部５２０は、動作モード設定部３１０により選択された植物栽培モードを受信すれば、次のような機能を行うように制御する。
植物栽培モードを選択したとき、温度基準設定部３２０の扉開閉調節選択部３２１を介して扉開閉基準温度値を設定して、設定された扉開閉基準温度値と測定された温度測定値とを比較することにより、植物の栽培のための開扉機能または閉扉機能が行われるように制御信号を送出する。
すなわち、温度測定値判断部４２０を介して測定された結果に基づいて、温度測定値が基準温度値よりも高ければ、ビニールハウスの扉が開かれるように制御部５００を介して開扉機能を行うように制御してもよく、温度測定値が基準温度値よりも低ければ、ビニールハウスの扉が閉じられるように制御部５００を介して閉扉機能を行うように制御してもよい。
さらにまた、温度基準設定部３２０の温度調節選択部３２２を介して暖房基準温度値を設定して、設定された冷暖房基準温度値と測定された温度測定値とを比較することにより、クーラーを用いた冷房機能またはヒーターを用いた暖房機能が行われるように制御信号を送出する。
すなわち、設定された冷暖房基準温度値よりも測定された温度測定値の方が高ければ（冷暖房基準温度値＜温度測定値）、冷房機能を介してクーラーが動作するように制御し、冷暖房基準温度値よりも温度測定値が低ければ（冷暖房基準温度値＞温度測定値）、暖房機能を介してヒーターが動作するように制御することで、室内空間の温度を調節してもよい。
これに対し、動作モード設定部３１０により室内の空気清浄モードが選択されて、選択された室内の空気清浄モードを温度制御部５２０で受信すれば、温度基準設定部３２０の温度調節選択部３２２を介して冷暖房基準温度値のみが設定されて、設定された冷暖房基準温度値と測定された温度測定値とを比較することにより、冷房機能または暖房機能が行われるように制御信号を送出する。
湿度制御部５３０は、湿度測定値が基準湿度値よりも高ければ、除湿機能を行い、湿度測定値が基準湿度値よりも低ければ、加湿機能を行うように制御信号を送出する。
湿度制御部５３０は、湿度基準設定部３３０を介して選択された加湿モードを受信すれば、湿度測定値判断部４３０により判断された結果、基準湿度値よりも測定された測定湿度値が低いと判断される場合（基準湿度値＞測定湿度値）、加湿機能を行うように制御信号を送出する。
これに対し、湿度基準設定部３３０を介して選択された除湿モードを受信すれば、基準湿度値よりも測定された測定湿度値の方が高いと判断される場合（基準湿度値＜測定湿度値）、除湿機能を行うように制御信号を送出する。
【００１５】
本発明の室内環境調節装置は、電源をつなぐための電源接続ポート、信号接続部が形成される。信号接続部は、外部装置に対する信号の入出力のために形成されたものであり、前記信号接続部に測定部１００と、外部装置と、電源アダプターなどが接続される。
また、警報発生部がさらに形成されて、二酸化炭素測定値、温度測定値、湿度測定値、照度測定値の警報上限値の設定値よりも大きいか、あるいは、警報下限値の設定値よりも小さい場合に警報が発生し、警報偏差取得部を介して各測定値が警報上限値の設定値よりも大きいか、あるいは、警報下限値の設定値よりも小さい場合、警報の発生と警報の発生の解除との間のヒステリシス幅に関する設定情報を取得する。
本発明は、外部装置との通信を行うためには、通信アドレス、通信速度、接続方法を設定してもよい。すなわち、通信アドレスは、シリアル通信を行うとき、各文字伝送手段に、例えば、１番から９９番までのアドレスを与えて個別の装置を識別することができ、通信速度は、シリアル通信の際に通信速度を設定するものであり、例えば、接続方法をＲＳ４８５に設定したとき、通信速度を１２００、２４００、４８００、９６００、１９２００ｂｐｓなどに設定してもよい。
本発明は、上述した実施形態に限定して説明したが、本発明の技術的思想を逸脱しない範囲内において制限なしに種々に実施可能であり、その内容が本発明の権利範囲に含まれることはいうまでもない。
本発明は、設定された二酸化炭素値を維持するために二酸化炭素の量を測定し、足りないガスの量を供給することにより室内環境を調節することができる室内環境調節装置に関するもので、特に、きのこ、人蔘など高価であり、しかも、管理し難い植物の栽培環境をリアルタイムにて制御することができるので、植物の栽培時に適用可能である。
【符号の説明】
【００１６】
１００  測定部
１１０  二酸化炭素測定部
１１１  湿気除去部
１２０  温度測定部
１３０  湿度測定部
１４０  照度測定部
２００  表示部
３００  操作パネル部
３０１  動作モード設定部
３０３  チャンネル設定部
３１０  二酸化炭素基準設定部
３２０  温度基準設定部
３２１  扉開閉調節選択部
３２２  温度調節選択部
３３０  湿度基準設定部
３４０  照度基準設定部
４００  測定値判断部
４１０  二酸化炭素測定値判断部
４２０  温度測定値判断部
４３０  湿度測定値判断部
４４０  照度測定値判断部
５００  制御部
５１０  二酸化炭素制御部
５２０  温度制御部
５３０  湿度制御部
【図１】
2019526768.tif 000003
【図２】
2019526768.tif 000004
【図３】
2019526768.tif 000005
【図４】
2019526768.tif 000006
【図５】
2019526768.tif 000007
【図６】
2019526768.tif 000008
【国際調査報告】
2019526768.tif 000009
2019526768.tif 000010
2019526768.tif 000011
2019526768.tif 000012